(57)【要約】【課題】戸に組み込まれる錠装置のフロント板をベース部の前面側に嵌合配置する場合、戸当りクッションの面倒な切断作業が不要で、かつベース部の前面側にフロント板を簡単でかつ体裁よく嵌合配置することができる戸当りクッションを提供する。【解決手段】戸の端面に長手方向に配置される戸当りクッションであって、戸の端面に添設されるベース体４３とベース体４３の厚み方向外方側に位置する被覆体４４とを別体に具備し、ベース体４３の厚み方向の外端部側に、錠装置のフロント板を嵌合保持可能な嵌合凹部４８が厚み方向外方に向けて開口するように設けられ、被覆体４４は嵌合凹部４８に着脱自在に嵌合保持可能とされている。【選択図】図１
0003185848.tif 000002
【実用新案登録請求の範囲】
【請求項１】
戸の端面に長手方向に配置される戸当りクッションであって、
戸の端面に添設されるベース体（４３）とベース体（４３）の厚み方向外方側に位置する被覆体（４４）とを別体に具備し、ベース体（４３）の厚み方向の外端部側に、錠装置のフロント板を嵌合保持可能な嵌合凹部（４８）が厚み方向外方に向けて開口するように設けられ、被覆体（４４）は嵌合凹部（４８）に着脱自在に嵌合保持可能とされていることを特徴とする戸当りクッション。
【請求項２】
ベース体（４３）は中央側の内ベース部（４５）と、内ベース部（４５）の幅方向外端部と嵌合凹部（４８）を除く厚み方向外端部とを被覆する内ベース部（４５）よりも軟質な外ベース部（４６）とを有し、内ベース部（４５）と外ベース部（４６）とが２色成形により一体成形され、
被覆体（４４）は中央側の内被覆部（５８）と、内被覆部（５８）の幅方向外端部と厚み方向外端部とを被覆する内被覆部（５８）よりも軟質な外被覆部（５９）とを有し、内被覆部（５８）と外被覆部（５９）とが２色成形により一体成形されていることを特徴とする請求項１に記載の戸当りクッション。
【請求項３】
ベース体（４３）の嵌合凹部（４８）の内壁面（４８ａ）に、厚み方向内方に没入した係止溝（５０）が長手方向に形成され、被覆体（４４）の厚み方向の内面側に、被覆体（４４）を嵌合凹部（４８）に嵌合した状態に保持すべく前記係止溝（５０）に係合するように厚み方向内方に突出した係合突起（６１）が長手方向に設けられていることを特徴とする請求項１又は２に記載の戸当りクッション。
【考案の詳細な説明】
【技術分野】
【０００１】
本考案は、戸の端面に配置される戸当りクッションに関するものである。
【背景技術】
【０００２】
戸当りクッションは引戸の戸枠側端面に長手方向（上下方向）に配置して引き戸を閉めた際の衝撃を緩衝するようにしたものがある。
この種の従来の戸当りクッションは、引戸の戸枠側端面に長手方向に添設されるベース部と、ベース部から厚み方向外方に向けて円弧状に膨出した第２クッション部と、ベース部の幅方向両端部から第２クッション部の厚み方向外方を覆うように幅方向内方に突出した第３クッション部とを備え、これらベース部と第２クッション部と第３クッション部とはゴム材等で一体に形成されていた（例えば特許文献１）。
【先行技術文献】
【特許文献】
【０００３】
【特許文献１】実用新案登録第３１７５０８６号公報
【考案の概要】
【考案が解決しようとする課題】
【０００４】
しかし、戸に埋設される錠ケースと、錠ケースの戸枠側に配置されるフロント板と、錠ケースから戸枠側に出退移動自在に設けられた鎌部材とを備える錠装置を、戸に組み込む場合には、戸当りクッションのベース部の長手方向中途部に開口孔を設け、この開口孔を介して錠ケースを挿通すると共に、ベース部の前面側にフロント板を嵌合配置することがあり、このような場合、従来では、第２クッション部の長手方向中途部をベース部からフロント板の長さ分だけ切断して取り除く必要があり、第２クッション部をベース部から切断する作業が面倒であるし、その切断端部の切り口が不揃いになって体裁が悪くなったり、第２クッション部の切断端部から破損が生じ易くなったりするという問題があった。
【０００５】
本考案は上記問題点に鑑み、戸に組み込まれる錠装置のフロント板をベース部の前面側に嵌合配置する場合、戸当りクッションの面倒な（切り取り）切断作業が不要で、かつベース部の前面側にフロント板を簡単でかつ体裁よく嵌合配置することができる戸当りクッションを提供することを目的としている。
【課題を解決するための手段】
【０００６】
本考案における課題解決のための具体的手段は、次の通りである。
この技術的課題を解決する本考案の技術的手段は、戸の端面に長手方向に配置される戸当りクッションであって、
戸の端面に添設されるベース体４３とベース体４３の厚み方向外方側に位置する被覆体４４とを別体に具備し、ベース体４３の厚み方向の外端部側に、錠装置のフロント板を嵌合保持可能な嵌合凹部４８が厚み方向外方に向けて開口するように設けられ、被覆体４４は嵌合凹部４８に着脱自在に嵌合保持可能とされている点にある。
【０００７】
また、本考案の他の技術的手段は、ベース体４３は中央側の内ベース部４５と、内ベース部４５の幅方向外端部と嵌合凹部４８を除く厚み方向外端部とを被覆する内ベース部４５よりも軟質な外ベース部４６とを有し、内ベース部４５と外ベース部４６とが２色成形により一体成形され、
被覆体４４は中央側の内被覆部５８と、内被覆部５８の幅方向外端部と厚み方向外端部とを被覆する内被覆部５８よりも軟質な外被覆部５９とを有し、内被覆部５８と外被覆部５９とが２色成形により一体成形されている点にある。
【０００８】
また、本考案の他の技術的手段は、ベース体４３の嵌合凹部４８の内壁面４８ａに、厚み方向内方に没入した係止溝５０が長手方向に形成され、被覆体４４の厚み方向の内面側に、被覆体４４を嵌合凹部４８に嵌合した状態に保持すべく前記係止溝５０に係合するように厚み方向内方に突出した係合突起６１が長手方向に設けられている点にある。
【考案の効果】
【０００９】
本考案によれば、戸に組み込まれる錠装置のフロント板を戸当りクッションのベース体の前面側に嵌合配置して、戸当りクッションを戸の端面側に取り付ける場合、ベース体の長手方向中途部に開口孔を形成して、この開口孔を介してベース体に錠ケースを挿通すると共に、ベース体の嵌合凹部にフロント板を嵌合して、戸の端面にベース体を長手方向に添設固定し、ベース体のフロント板の上方及び下方にそれぞれ被覆体を嵌合凹部に嵌合保持して固定すればよく、戸当りクッションの面倒な（切り取り）切断作業が不要になり、しかも、戸当りクッションのベース体の前部側にフロント板を簡単にかつ体裁よく嵌合固定することができる。また、ベース体のフロント板の上方及び下方で、被覆体を嵌合凹部に嵌合することによって、被覆体を簡単確実に保持固定して、ベース体と被覆体とを有する戸当りクッションで戸が閉まる際の衝撃を効果的に緩衝することができる。
【図面の簡単な説明】
【００１０】
【図１】本考案の一実施形態を示す図４のＡ−Ａ線断面図である。
【図２】同図４のＢ−Ｂ線断面図である。
【図３】同図４のＣ−Ｃ線断面図である。
【図４】同戸の端面に戸当りクッションを取り付けた状態の正面図である。
【図５】同戸の端面に戸当りクッションを取り付けた状態であってフロント板乃至錠ケースを取り外した状態の正面図である。
【図６】他の実施形態を示す平面断面図である。
【考案を実施するための形態】
【００１１】
以下、本考案の実施の形態を図面に基づいて説明する。
図１〜図５は本考案の一実施形態を示している。図１〜図５において、戸当りクッション１は、戸２の戸枠側端面２ａに長手方向に配置されて、戸２を閉めた際の衝撃を緩衝するものである。
本実施形態の場合、戸当りクッション１が取り付けられる戸２には、錠装置３が組み込まれている。なお、戸２は開き戸であっても引き戸であっても良い。
【００１２】
ここで、錠装置３は、戸２に埋設される錠ケース５と、錠ケース５の戸枠４側に配置されて戸２の戸枠側端面２ａに取り付けられるフロント板６と、フロント板６に重合配置される第２フロント板３１と、錠ケース５から戸枠４側に出退移動自在に設けられた鎌部材８と、戸枠４側に取り付けられる受け体１０とを備える。
図３に示すように、受け体１０は、戸枠４の戸側端面４ａに添って配置固定される接当板１３と、接当板１３から突出した角筒状の筒状体１４とを有し、接当板１３の中央部に、鎌部材８が前後貫通状に挿通される挿通孔１５が設けられ、筒状体１４内に鎌部材８を係止する係止部１６が設けられている。
【００１３】
鎌部材８は、前部側に上方に向けて鈎形に突出したフック部１７を有し、錠ケース５内で支軸１８廻りに揺動自在に支持されている。
鎌部材８を出退方向に移動させる操作シリンダ２０が、錠ケース５の後部から戸２の外側方（戸２の厚み方向外方）に突出するように設けられている。
而して、操作シリンダ２０のキー孔にキーを挿入して該キーを矢印ａ方向に回転することにより、鎌部材８が支軸１８廻りに前方（矢印ｂ方向）に揺動して、フック部１７を介して受け体１０の係止部１６に係合し、これにより戸２が開かなくなるように構成されている。また、キー孔に挿入したキーを矢印ｃ方向に回転することにより、鎌部材８を支軸１８廻りに後方（矢印ｄ方向）に揺動させて、受け体１０の係止部１６への係合を解除させるように構成されている。
【００１４】
また、錠ケース５の前部にトリガー２３が前方に出退移動自在に保持され、バネにより前方に付勢されている。トリガー２３と鎌部材８とは図示省略の連動機構によって連動されており、トリガー２３が前方に突出しているときには、鎌部材８は錠ケース５内に後退した状態にロックされ、トリガー２３が戸枠４側のフロント板６に当たって錠ケース５内に後退したときに、鎌部材８のロックが外れて鎌部材８が支軸１８廻りに前方（矢印ｂ方向）に揺動可能になるように構成されている。
【００１５】
フロント板６の上部と下部とに取付孔２５が設けられており、フロント板６が後述するベース体４３を介して戸枠側端面２ａに接当配置されて取付孔２５を利用して木ねじ等の固定具２６で戸２の戸枠側端面２ａに締め付け固定されている。
フロント板６の中央部に、鎌部材８が前後に貫通状に挿通される挿通孔２８が設けられている。フロント板６の挿通孔２８の下方にトリガー２３が前後に貫通状に挿通される挿通孔２９が設けられている。
【００１６】
錠装置３のフロント板６の前方に第２フロント板３１が設けられている。この第２フロント板３１は、フロント板６の前面側に重合配置されている。
第２フロント板３１の上部と下部とに取付孔３３が設けられ、第２フロント板３１の中央部に、鎌部材８が前後に貫通状に挿通される長方形状の挿通孔３５が、前記フロント板６の挿通孔２８に対応して設けられている。第２フロント板３１の挿通孔３５の下方にトリガー２３が前後に貫通状に挿通される長方形状の挿通孔３６がフロント板６の挿通孔２９に対応して設けられている。
【００１７】
フロント板６の上部及び下部であって上下の取付孔２５よりも上下方向の中央部寄りに、前記第２フロント板３１の取付孔３３に対応して上下一対のタップネジ孔３８が設けられており、ビス等の締結具３９を取付孔３３に挿通すると共にタップネジ孔３８に螺合して締め付けることにより、第２フロント板３１をフロント板６に対して締め付け固定できるようになっている。
【００１８】
前記戸当りクッション１は、戸２の上下方向全長に亘るように上下方向に長い板状に形成され、戸２の戸枠側端面２ａに添設されるベース体４３とベース体４３の厚み方向外方側（前方側）に位置する被覆体４４とを別体に具備している。
ベース体４３は平断面が長方形状であって戸２の上下方向全長に亘るように上下方向に長い板状に形成され、中央側の内ベース部４５と内ベース部４５よりも軟質な外側の外ベース部４６とを有し、外ベース部４６は内ベース部４５の幅方向外端部と後述する嵌合凹部４８を除く厚み方向外端部とを被覆している。
【００１９】
ベース体４３（内ベース部４５と外ベース部４６と）は、硬質の合成樹脂例えば硬質のポリ塩化ビニル（ＰＶＣ）と軟質の合成樹脂例えば軟質のポリ塩化ビニル（ＰＶＣ）との２色成形により一体成形されており、硬質の合成樹脂で内ベース部４５が形成され、軟質の合成樹脂で外ベース部４６が形成されている。ここで、硬質とは、内ベース部４５が外ベース部４６に比べて硬質であるという相対的意味の硬質であり、また、軟質とは、外ベース部４６が内ベース部４５に比べて軟質であるという相対的意味の軟質である。
【００２０】
ベース体４３（内ベース部４５及び外ベース部４６）の厚み方向の外端部側に嵌合凹部４８が厚み方向外方に向けて開口するように設けられている。この嵌合凹部４８の左右幅は、フロント板６及び第２フロント板３１の左右幅と略同幅に形成されており、フロント板６及び第２フロント板３１を戸２の戸枠側端面２ａに略平行に嵌合保持可能に構成されている。
【００２１】
ベース体４３（内ベース部４５）の嵌合凹部４８の内壁面４８ａに、その左右方向の中央部で厚み方向内方（後方）に没入した係止溝５０が長手方向全長に亘って形成されている。
ベース体４３（外ベース部４６）の後面の左右両端部に、後方に突出した突条部５３が設けられ、ベース体４３（内ベース部４５及び外ベース部４６）の背面の一対の突条部５３間にベース体４３を戸２の戸枠側端面２ａに接着するための接着剤５４が塗布されるようになっている。
【００２２】
内ベース部４５の後面（背面）の左右両側に凹条溝５５がそれぞれ長手方向全長に亘って設けられ、内ベース部４５の前面の左右両側にも凹条溝５６がそれぞれ長手方向全長に亘って設けられている。
被覆体４４は嵌合凹部４８に対応して平断面が長方形状の板状に形成され、被覆体４４の厚みは嵌合凹部４８の前後幅と略同一であって、被覆体４４の左右幅は嵌合凹部４８の左右幅と略同一に形成されており、嵌合凹部４８に該嵌合凹部４８を塞ぐように着脱自在で長手方向に摺動自在に嵌合保持可能とされている。
【００２３】
被覆体４４は中央側の内被覆部５８と外側の外被覆部５９とを有し、外被覆部５９は内被覆部５８の幅方向外端部と厚み方向外端部とを被覆している。被覆体４４は（内被覆部５８と外被覆部５９とは）、硬質の合成樹脂例えば硬質のポリ塩化ビニル（ＰＶＣ）と軟質の合成樹脂例えば軟質のポリ塩化ビニル（ＰＶＣ）との２色成形により一体成形され、硬質の合成樹脂で内被覆部５８が形成され、軟質の合成樹脂で外被覆部５９が形成され、外被覆部５９が内被覆部５８に比べて軟質に形成されている。ここで、硬質とは、内被覆部５８が外被覆部５９に比べて硬質であるという相対的意味の硬質であり、また、軟質とは、外被覆部５９が内被覆部５８に比べて軟質であるという相対的意味の軟質である。
【００２４】
被覆体４４（内被覆部５８）の厚み方向の内面側に、被覆体４４を嵌合凹部４８に嵌合した状態に保持すべく前記係止溝５０に係合するように厚み方向内方に突出した係合突起６１が長手方向全長に亘って設けられている。
前記実施形態によれば、戸当りクッション１を戸２の端面２ａに取り付ける場合、ベース体４３の長手方向中途部に錠ケース５に対応してドリルで開口孔６５を貫通形成する。
【００２５】
上記開口孔６５は、図５に示すように、ドリル等の孔開け工具で円形のドリル孔を上下に間隔をおいて複数個形成し、この複数個のドリル孔が上下方向に連続して繋がるようにして、錠ケース５に対応するように上下方向に長く形成すればよい。
この際、各ドリル孔の左右両端が、内ベース部４５の左右の凹条溝５５，５６内に収まるようにし、また、開口孔６５の左右両端の凹凸が長手方向全長に亘って左右の凹条溝５５，５６よりも左右方向内方に突出しないように、ドリル孔を小さな上下間隔をおいて連続状に形成することによって、開口孔６５の左右両端に大きな凹凸が生じないようになし得る。
【００２６】
その後、開口孔６５を介してベース体４３に錠ケース５を挿通すると共に、ベース体４３の嵌合凹部４８にフロント板６を嵌合して、ベース体４３の背面を接着剤５４で戸２の戸枠側端面２ａに接着すると共に、ベース体４３のフロント板６よりも上方及び下方において、タッカーを使用してステープルを係止溝５０の内壁面からベース体４３及び戸２の戸枠側端面２ａに打ち付けて、ベース体４３を戸２の戸枠側端面２ａに固定する。
【００２７】
次に、ベース体４３の嵌合凹部４８に錠装置３のフロント板６に対応して第２フロント板３１を嵌合保持し、フロント板６のタップネジ孔３８に第２フロント板３１の取付孔３３を対応させる。
その後、ビス等の締結具３９を取付孔３３に挿通すると共にタップネジ孔３８に螺合して締め付けることにより、第２フロント板３１をフロント板６に対して締め付け固定する。
【００２８】
そして、被覆体４４を上下方向の中途部で切断して上下に分割し、その分割した一対の被覆体４４を、ベース体４３のフロント板６及び第２フロント板３１の上下に配置してベース体４３の嵌合凹部４８に嵌合し、両被覆体４４をフロント板６及び第２フロント板３１の上下両端にそれぞれ突き合わせればよい。
従って、錠装置３のフロント板６を戸当りクッション１のベース体４３の前面側に嵌合配置して、戸当りクッション１を戸２の端面２ａ側に取り付ける場合、ベース体４３の長手方向中途部に開口孔６５を形成して、この開口孔６５を介してベース体４３に錠ケース５を挿通すると共に、ベース体４３の嵌合凹部４８にフロント板６を嵌合して、戸２の端面２ａにベース体４３を長手方向に添設固定し、ベース体４３のフロント板６の上方及び下方にそれぞれ被覆体４４を嵌合凹部４８に嵌合保持して固定すればよく、戸当りクッションの面倒な（切り取り）切断作業が不要になり、しかも、戸当りクッション１のベース体４３の前部側にフロント板６を簡単にかつ体裁よく嵌合固定することができる。
【００２９】
また、ベース体４３の第２フロント板３１の上方及び下方で、被覆体４４を嵌合凹部４８に嵌合することによって、被覆体４４を簡単確実に保持固定して、ベース体４３と被覆体４４とを有する戸当りクッション１で戸２が閉まる際の衝撃を効果的に緩衝することができる。
また、本実施形態では、ベース体４３は中央側の硬質な内ベース部４５と外側の軟質な外ベース部４６とを有し、被覆体４４は硬質な内被覆部５８と軟質な外被覆部５９とを有しているので、戸当りクッション１のベース体４３を変形して形が崩れないように中央側の内ベース部４５によって保形することができるし、被覆体４４を変形して形が崩れないように中央側の内被覆部５８によって保形することができ、ベース体４３を戸２の端面２ａ側に体裁よく固定でき、被覆体４４をベース体４３の嵌合凹部４８に簡単かつ体裁よく嵌合固定することができる。
【００３０】
また、戸２を閉めた際に、戸２はベース体４３の外ベース部４６及び被覆体４４の外被覆部５９を介して戸枠４に接当し、戸２が閉まる際の衝撃を外側の外ベース部４６及び外被覆部５９によってより効果的に緩衝することができる。しかも、ベース体４３及び被覆体４４を２色成形により簡単かつ安上がりに形成できる。
また、係止溝５０への係合突起６１の係合によってベース体４３の嵌合凹部４８に被覆体４４が嵌合した状態に保持され、ベース体４３に対して被覆体４４を不測に外れないように確実に嵌合保持することでき、ベース体４３に対して被覆体４４が不測に外れるのを防ぐことができる。
【００３１】
しかも、タッカーを使用してベース体４３を戸２の端面２ａに固定する場合、ステープル（針）を係止溝５０の内壁面からベース体４３及び戸２に打ち付けて簡単かつ確実に固定することができるし、このとき、ステープルの基部を係止溝５０内の後部に収納して外部から見えないように隠すことができ、外観上の体裁がよくなる。
なお、前記実施形態では、戸２の端面２ａ側に戸当りクッション１を接着剤５４やステープルで面付けするようにしているが、これに代え、図６に示すように、戸２の端面２ａ側に、嵌合凹部６９を形成して、この嵌合凹部６９に戸当りクッション１の厚み方向の内端部を内嵌することにより、戸当りクッション１を戸２の端面２ａ側に堀り込んで接着剤やステープルで取り付けるようにしてもよい。
また、前記実施形態では、ベース体４３は中央側の内ベース部４５と、内ベース部４５の幅方向外端部と嵌合凹部４８を除く厚み方向外端部とを被覆する内ベース部４５よりも軟質な外ベース部４６とを有し、内ベース部４５と外ベース部４６とが２色成形により一体成形されているが、これに代え、ベース体４３を単一のゴム材や単一の軟質合成樹脂により一体成形するようにしてもよい。
【００３２】
また、前記実施形態では、被覆体４４は中央側の内被覆部５８と、内被覆部５８の幅方向外端部と厚み方向外端部とを被覆する内被覆部５８よりも軟質な外被覆部５９とを有し、内被覆部５８と外被覆部５９とが２色成形により一体成形されているが、これに代え、被覆体４４を単一のゴム材や単一の軟質合成樹脂により一体成形するようにしてもよい。
また、前記実施形態では、ベース体４３の嵌合凹部４８の内壁面４８ａに、厚み方向内方に没入した係止溝５０が長手方向に形成され、被覆体４４の厚み方向の内面側に、被覆体４４を嵌合凹部４８に嵌合した状態に保持すべく前記係止溝５０に係合するように厚み方向内方に突出した係合突起６１が長手方向に設けられているが、これに代え、被覆体４４の厚み方向の内面側に、厚み方向内方に没入した係止溝５０を形成し、ベース体４３の嵌合凹部４８の内壁面４８ａに、被覆体４４を嵌合凹部４８に嵌合した状態に保持すべく前記係止溝５０に係合するように厚み方向外方に突出した係合突起６１を設けるようにしてもよい。また、係止溝５０及び係合突起６１を省略し、ベース体４３の嵌合凹部４８に被覆体４４を強制嵌合するようにしてもよいし、ベース体４３の嵌合凹部４８に被覆体４４を嵌合すると共に、この嵌合状態を保持すべくベース体４３の嵌合凹部４８に被覆体４４を接着剤等で接着するようにしてもよい。
【００３３】
また、前記実施形態では、錠装置３のフロント板６に重合固定される第２フロント板３１が設けられているが、これに代え、第２フロント板３１を省略するようにしてもよく、この場合、フロント板６を分厚い板状に形成するようにしてもよい。
【符号の説明】
【００３４】
１      戸当りクッション
４３    ベース体
４４    被覆体
４５    内ベース部
４６    外ベース部
４８    嵌合凹部
４８ａ  内壁面
５０    係止溝
５８    内被覆部
５９    外被覆部
６１    係合突起
【図１】
0003185848.tif 000003
【図２】
0003185848.tif 000004
【図３】
0003185848.tif 000005
【図４】
0003185848.tif 000006
【図５】
0003185848.tif 000007
【図６】
0003185848.tif 000008